(57)【特許請求の範囲】
【請求項１】
温度域の異なる２以上の商品収容室を上下に有し、各商品収容室が仕切板により仕切られているショーケースにおいて、
前記仕切板の一部には前記各商品収容室を相互に連通する連通口を設け、
前記仕切板の裏面側には、上下に回動可能に基端が軸支され前記連通口を開閉するダンパと、前記連通口側に移動するとき一端側が前記ダンパの裏面側に位置して前記ダンパを支持するとともに、前記連通口とは逆方向に移動するとき前記ダンパの支持を解除する保持部材と、仕切板裏面との間に保持部材を摺動自在に支持する支持片を設け、
前記保持部材はその他端側に前記ダンパの先端側を収容する保持片を有し、
前記保持部材は、連通口側及びその逆方向に摺動する途中において前記支持片と仕切板裏面との間隙を通過する部位に、該間隙よりも大きい高さの凸部を形成するとともに、該凸部は弾性変形して前記間隙を通過する
ことを特徴とするショーケース。
【請求項２】
前記保持部材は板状部材からなるとともに、前記凸部は該板状部材を屈曲して形成した
ことを特徴とする請求項１記載のショーケース。
【発明の詳細な説明】
【０００１】
【発明の属する技術分野】
本発明は、温度域の異なる２以上の商品収容室を備えたショーケースに関し、特に各商品収容室を仕切る仕切板に関するものである。
【０００２】
【従来の技術】
従来のショーケースについて図８及び図９を参照して説明する。図８及び図９は  従来のショーケースの仕切板の断面図である。このショーケースは、縦長箱状のショーケース本体の上部に仕切板を介して上方を温蔵室に、下方を冷蔵室に形成している。ショーケース本体の下部には機械室が配設され、圧縮機、蒸発器、凝縮器等を配置して前記冷蔵室に冷気を循環している。
【０００３】
この仕切板１０１は、図８及び図９に示すように、基板１０２の基端部に上下に連通する連通口１０３を設けるとともに、この連通口１０３を開閉するダンパ１０４を設けている。この連通口１０３は、温蔵室又は冷蔵室の壁面Ｗに接する位置に形成されている。ダンパ１０４は、一端を仕切板１０１の裏面に軸支されて回動自在に付設されており、この回動により前記連通口１０３を開閉する。また、仕切板１０１の裏面には、ダンパ１０４を開状態及び閉状態で保持するための保持金具１０５が付設されている。この保持金具１０５は、板状部材に設けられた長孔１０６に段付きネジ１０７を挿入して仕切板１０１の裏面に摺動自在に付設されている。この保持金具１０５の連通口１０３側の端部は、ダンパ１０４に設けられた貫通孔１０４ａに挿入され、ダンパ１０４を閉状態で支持する。また、この保持金具１０５の連通口１０３と反対側の端部は、略コ字状に折り曲げられた収容部１０５ａとなっており、回動したダンパ１０４の先端部を収容可能となっている。
【０００４】
この仕切板１０１では、連通口１０３を閉鎖する際には、ダンパ１０４を回動させるとともに、保持金具１０５を連通口１０３側に摺動させ、その一端をダンパ１０４の貫通孔１０４ａに挿入することにより、該ダンパ１０４を閉状態に保持すればよい（図８参照）。
【０００５】
また、連通口１０３を開放する際には、まず、保持金具１０５を連通口１０３側とは反対方向に摺動させてダンパ１０４の支持を解除する。そして、ダンパ１０４を回動させ仕切板１０１の裏面に配置したところで、再び保持金具１０５を連通口１０３側に摺動させて収容部１０５ａにダンパ１０４の先端を収容させればよい（図８及び図９参照）。
【０００６】
【発明が解決しようとする課題】
しかしながら、このショーケースでは、商品収容室内に商品を出し入れしたりする際に前記保持金具１０５を引っかけてしまう場合があり、かかる場合にはダンパ１０４の閉状態又は開状態の支持が解除されてダンパ１０４が仕切板１０１の裏面にぶら下がる状態となってしまう。したがって、商品の出し入れ時には前記保持金具１０５に触れないように注意しつつ作業を行う必要があり不便なものであった。また、ショーケースに何らかの衝撃が加わった場合にも、同様に保持金具１０５が摺動し、ダンパ１０４の閉状態又は開状態の支持が解除されることがあった。
【０００７】
また、ダンパ１０４及び保持金具１０５は仕切板１０１の裏面に付設されていることから、ダンパ１０４及び保持金具１０５の操作を視認することが困難であり、保持金具１０５の操作が不十分となることもあった。この保持金具１０５の操作が不十分となると、前述したような事によるダンパ１０４の閉状態又は開状態の支持解除が頻発する原因となる。
【０００８】
本発明は、上記事情に鑑みてなされたものであり、その目的とするところは、仕切板に付設されたダンパの操作が容易かつ確実で利便性に優れたショーケースを提供することにある。
【０００９】
【課題を解決するための手段】
上記目的を達成するために、請求項１の発明では、温度域の異なる２以上の商品収容室を上下に有し、各商品収容室が仕切板により仕切られているショーケースにおいて、前記仕切板の一部には前記各商品収容室を相互に連通する連通口を設け、前記仕切板の裏面側には、上下に回動可能に基端が軸支され前記連通口を開閉するダンパと、前記連通口側に移動するとき一端側が前記ダンパの裏面側に位置して前記ダンパを支持するとともに、前記連通口とは逆方向に移動するとき前記ダンパの支持を解除する保持部材と、仕切板裏面との間に保持部材を摺動自在に支持する支持片を設け、前記保持部材はその他端側に前記ダンパの先端側を収容する保持片を有し、前記保持部材は、連通口側及びその逆方向に摺動する途中において前記支持片と仕切板裏面との間隙を通過する部位に、該間隙よりも大きい高さの凸部を形成するとともに、該凸部は弾性変形して前記間隙を通過することを特徴とするショーケースを提案する。
【００１０】
本発明によれば、保持部材を連通口側及びその逆方向に摺動する際に、保持部材に形成された凸部が、保持部材を支持する支持片と仕切板裏面との間隙を通過する。この凸部は、該間隙よりも大きい高さを有しており、弾性変形して前記間隙を通過する。この弾性変形には一定の力を必要とするので、保持部材にこの力未満の力が加わっても摺動することなく、ダンパの支持又は収容部への保持状態を維持することができる。また、ユーザは保持部材の摺動操作時に前記弾性変形を感じることができるので、視覚による確認を必要とせず確実な操作が可能となる。
【００１１】
本発明の好適な態様の一例として、請求項２の発明では、請求項１記載のショーケースにおいて、前記保持部材は板状部材からなるとともに、前記凸部は該板状部材を屈曲して形成したことを特徴とするものを挙げる。
【００１２】
本発明によれば、保持部材に新たな部材を付設することなく、容易かつ経済的な構成で前記ショーケースを実施することができる。
【００１３】
【発明の実施の形態】
本発明の一実施の形態にかかるショーケースについて図１〜図７を参照して説明する。図１はショーケースの外観斜視図、図２は仕切板の上平面図、図３は仕切板の分解斜視図、図４は保持金具の斜視図、図５〜図７は仕切板の動作を説明する断面図である。
【００１４】
このショーケース１０は、図１に示すように、縦長箱状のショーケース本体１１の上部に仕切板２０を介して上方を温蔵室１２に、下方を冷蔵室１３に形成している。また、このショーケース本体１１は、温蔵室１２及び冷蔵室１３を形成する側面が枠体１１ａに介装されたガラス板１１ｂに囲われている。ショーケース本体１１の下部には機械室１４が配設され、図示しない圧縮機、蒸発器、凝縮器等を配置して前記冷蔵室１３に冷気を循環している。
【００１５】
この仕切板２０は、図２に示すように、矩形板状の基板２１と、該基板２１の四隅に付設した略Ｌ字状のコーナスペーサ２２とからなる。このコーナスペーサ２２は、前記基板２１の左右縁部の前端及び後端に付設されており、すなわち基板２１の左右方向に張り出すように付設されている。コーナスペーサ２２は、上面に付設した取付片２２ａを枠体１１ａの取付孔１１ｃに嵌入させるとともに、コーナスペーサ２２の側面を枠体１１ａに圧接してショーケース本体１１内に配置される。基板２１の側方であって左右のコーナスペーサ２２間には、温蔵室１２と冷蔵室１３とを相互に連通させる連通口２３を設けている。この仕切板２０の裏面側には、連通口２３を開閉するダンパ３０が取付金具４０により付設されている。また、この仕切板２０の裏面側には、ダンパ３０を開状態又は閉状態に保持する保持金具５０（後述する）が付設されている。
【００１６】
ダンパ３０は、図３に示すように、仕切板２０の裏面の左右寄りで前記連通口２３を開閉する位置に付設されている。このダンパ３０は、中央部において長手方向に延びる段差３１が形成された板状部材からなり、仕切板２０方向の基端部３２を取付金具４０に回動自在に軸支されている。このダンパ３０の段差３１の中央部には、後述する保持金具５０が貫通可能な横長の貫通孔３３が形成されている。また、このダンパ３０は、前記基端部３２と反対側の基端部を垂直に折り曲げて垂直部３４を形成している。この垂直部３４には、前記ガラス板１１ｂとの密着性を高めるためにパッキング３５が付設されている。このパッキング３５は軟質樹脂からなるパイプ状に形成されたものである。
【００１７】
取付金具４０は、図３に示すように、横長板状部材の両端部を屈曲した支持部４１を備えたものであって、仕切板２０の裏面の左右寄りに連通口２３と平行するように付設されている。また、この取付金具４０の中央部には後述する保持金具５０が貫通可能な横長の貫通孔４２が形成されている。さらに、取付金具４０の支持部４１間には、連結軸４３が架設されている。この連結軸４３は、前記ダンパ３０を基端部３２において回動自在に軸支している。
【００１８】
保持金具５０は、図３及び図４に示すように、前記ダンパ３０を仕切板２０の裏面側に保持する保持金具であり、略矩形の板状部材を屈曲させて形成したものである。すなわち、保持金具５０は、仕切板２０の裏面に略平行に配置された横長の保持金具本体５１と、この保持金具本体５１の一方の端部に形成したダンパ収容部５２からなる。この保持金具本体５１は、ダンパ収容部５２が形成されている一方の端部から反対側の端部に亘る中央部に下方に屈曲して屈曲頂点５１ａが形成されており、これにより保持金具本体５１は弾性変形可能となっている。また、保持金具本体５１のダンパ収容部５２とは反対側の端部もわずかに下方に屈曲してる。ダンパ収容部５２は略コ字状に屈曲して形成されている。さらに、保持具本体５１は、長手方向に延びる長孔５３を中央部に備えるとともに、この長孔５３に段付きネジ６０を挿入して仕切板２０の裏面に摺動自在に付設されている。この長孔５３は、その長手方向中央部に前記屈曲頂点５１ａが位置するように形成されている。
【００１９】
段付きネジ６０は、スペーサ部６１、頭部６２及びネジ部６３からなり、スペーサ部が前記保持金具５０の長孔５３に挿入配置されている。このスペーサ部６１の高さＤ１、すなわち、段付きネジ６０の頭部６２と仕切板２０との間隔は、保持金具本体５１の屈曲頂点５１ａの高さＤ２よりもやや小さく設定されている。
【００２０】
次に、このショーケース１０の仕切板２０の動作について説明する。この仕切板２０に形成した連通口２３を閉鎖するには、図５に示すように、ダンパ３０を回動させるとともに、保持金具５０をダンパ３０方向に摺動させればよい。すなわち、保持金具５０を摺動させると保持金具本体５１の一端は、ダンパ３０の貫通孔３３に挿入されてダンパ３０の下面を支持する。これにより、ダンパ３０の回動を規制して連通口２３の閉状態を維持することができる。
【００２１】
この仕切板２０に形成した連通口２３を開放するには、まず保持金具５０をダンパ３０と反対方向に移動させてダンパ３０の支持を解除する。次に、図６に示すように、ダンパ３０を回動させてゴムパッキング３５が仕切板２０の下側にくるように配置する。最後に、図７に示すように、保持金具５０を再びダンパ３０方向に移動させて、保持金具５０のダンパ収容部５２にダンパ３０のゴムパッキング３５を収容し、保持すればよい。これにより、ダンパ３０の回動を規制して連通口２３の開状態を維持することができる。
【００２２】
ところで、この保持金具５０のダンパ３０方向又はその反対方向への移動時には、保持金具本体５１の屈曲頂点５１ａが段付きネジ６０が付設されている位置を通過する。ここで、前述したように、屈曲頂点５１ａの高さＤ２は段付きネジ６０のスペーサ部６１の高さＤ１よりも高く形成されており、さらに保持金具本体５１は板状部材を弾性変形可能に屈曲して形成されている。したがって、保持金具５０を移動させる場合には、屈曲頂点５１ａが仕切板２０裏面と段付きネジ６０の頭部６２との間を通過する時に一定の力を必要とする。これにより、保持金具５０は、この一定の力以上の力を受けない限り、ダンパ３０を開状態又は閉状態に維持することができる。
【００２３】
以上詳述したように、このショーケース１０によれば、ダンパ３０を開状態又は閉状態に維持している保持金具５０は、前記一定の力以上の力を受けない限り、この開状態又は閉状態を維持することができる。したがって、商品の出し入れや各種メンテナンス等の際にユーザが誤って保持金具５０に触れた場合にも、容易に保持金具５０が移動することがなくダンパ３０の開状態又は閉状態を維持することができる利便性の高いショーケースとなる。同様に、ショーケース１０に多少の衝撃が加わった場合にも、保持金具５０が移動することなくダンパ３０の開状態又は閉状態を維持することができる利便性の高いショーケースとなる。さらに、ダンパ３０を開状態又は閉状態に切り替えるときに、ユーザは保持金具５０の移動時に一定の力を感じ、すなわちクリック感が生じるので、確実な操作感を得ることができる。したがって、保持金具５０等を視認することなく確実な操作を行うことができるので、これらが仕切板２０の裏面に付設されている本実施の形態のショーケースでは特に利便性の高いものとなる。
【００２４】
尚、本実施の形態では温蔵室と冷蔵室とを備えたショーケースについて説明したが、これに限定されることなく、例えば、冷蔵室と冷凍室、冷凍室と温蔵室、又は、温蔵室、冷蔵室及び冷凍庫を備えたショーケースであってもよい。
【００２５】
また、本実施の形態では、仕切板を１枚のみショーケース本体に配置したが、これに限定されることなく、複数枚設けてもよい。
【００２６】
【発明の効果】
以上詳述したように、本発明によれば、保持部材の摺動には一定の力を必要とするので、保持部材にこの力未満の力が加わっても摺動することなく、ダンパの支持又は収容部への保持状態を維持することができる。したがって、商品の出し入れや各種メンテナンス等の際にユーザが誤って保持部材に触れた場合にも、容易に保持部材が移動することがなくダンパの開状態又は閉状態を維持することができる利便性の高いショーケースとなる。ショーケースに多少の衝撃が加わった場合にも同様である。さらに、保持部材の摺動操作時には前記弾性変形を感じることができるので、視覚による確認を必要とせず確実な操作が可能な利便性の高いショーケースとなる。
【図面の簡単な説明】
【図１】ショーケースの外観斜視図
【図２】仕切板の上平面図
【図３】仕切板の分解斜視図
【図４】保持金具の斜視図
【図５】仕切板の動作を説明する断面図
【図６】仕切板の動作を説明する断面図
【図７】仕切板の動作を説明する断面図
【図８】従来のショーケースの仕切板の断面図
【図９】従来のショーケースの仕切板の断面図
【符号の説明】
１０…ショーケース、１１…ショーケース本体、１２…温蔵室、１３…冷蔵室、２０…仕切板、２３…連通口、３０…ダンパ、５０…保持金具、６０…段付きネジ、５２…ダンパ収容部、５１ａ…屈曲頂点
【図１】
0003623880.tif 000002
【図２】
0003623880.tif 000003
【図３】
0003623880.tif 000004
【図４】
0003623880.tif 000005
【図５】
0003623880.tif 000006
【図６】
0003623880.tif 000007
【図７】
0003623880.tif 000008
【図８】
0003623880.tif 000009
【図９】
0003623880.tif 000010